(57)【要約】【課題】広告機能を向上させ、集客、宣伝効果を高めるとともに、休憩台等としても機能する多目的利用可能な自動販売機能を備える広告情報装置を提供する。【解決手段】平面状の天面部３ａを有する筐体３を備え、筐体３内に収容された商品等を販売する自動販売機能を備える広告情報装置１において、天面部３ａに沿ってパネル状の広告宣伝部５を備える。【選択図】      図１
2012032851.tif 000002
【特許請求の範囲】
【請求項１】
平面状の天面部を有する筐体を備え、前記筐体内に収容された商品等を販売する自動販売機能を備える広告情報装置において、前記天面部に沿ってパネル状の広告宣伝部を備えることを特徴とする自動販売機能を備える広告情報装置。
【請求項２】
前記筐体内部に販売商品を収納する商品収納部を備え、前記天面部に前記販売商品の見本を展示する商品展示部と、前記販売商品を選択して販売するための商品選択手段と、前記販売商品の代金を投入するための金銭投入部とを備えることを特徴とする請求項1に記載の自動販売機能を備える広告情報装置。
【請求項３】
前記商品展示部は、前記天面部と前記筐体の側面部に跨って配設され、前記商品展示部が配置される前記側面部の側に前記商品収納部から搬出される商品を取り出す商品取出口を備えることを特徴とする請求項２に記載の自動販売機能を備える広告情報装置。
【請求項４】
前記側面部にさらに側部広告宣伝部を配設することを特徴とする請求項１乃至請求項３のいずれか一項に記載の自動販売機能を備える広告情報装置。
【発明の詳細な説明】
【技術分野】
【０００１】
本発明は、筐体内に収容された商品等を販売する自動販売機能を備える広告情報装置に関する。
【背景技術】
【０００２】
従来、広告情報手段を備えた自動販売機としては、先に公開された実開平５−０３０９８５号公報（特許文献１）、及び特開平７−２３０５７０号公報(特許文献２)に記載されるような自動販売機が知られている。この特許文献1に記載される自動販売機は、自動販売機の本体背面を開閉自在に覆う電照看板と、この電照看板を本体に回動自在に枢支するヒンジと、電照看板を開放状態に保持するストッパーを設けたものであって、このような構成により、自動販売機の本体背面から商品のアピールを行うことができるとともに、その看板や内部の照明具を容易に交換可能な自動販売機を提供するというものである。
【０００３】
また、特許文献２に記載される自動販売機は、前面を成すディスプレイ面に透視板を嵌め込んだ開閉式の平型パネルケースと、その透視板の裏面に重ね合わせたフィルム状の広告シートと、そのパネルケース内に組み込んでその広告シートを背後から照明するバックライトを備えるパネルケースを、そのパネルケースの裏面側に装着した吸着用マグネットを介して自動販売機本体の開放側面（例えば自動販売機の露呈したキャビネット側面）に取り付けたものであって、夜間などの周囲が暗い環境の下でも、そのバックライトにより広告シートの広告文字、図柄などを明るく照らし出し、広告の表示内容がはっきりと目視できるようにして、自動販売機においてアピール性の高い広告効果を発揮できるようにするというものである。
【先行技術文献】
【特許文献】
【０００４】
【特許文献１】実開平５−０３０９８５号公報
【特許文献２】特開平７−２３０５７０号公報
【発明の概要】
【発明が解決しようとする課題】
【０００５】
ところで、このような広告情報手段を備える従来の自動販売機においては、筐体の背面及び側面に電照看板を備えることで全体的に広告機能を向上させることができるが、これらの自動販売機は、垂直の側壁に目立つように広告装置を装着した大型のものが多く、例えば人通りの多い駅のホームや、ショッピングモールの広場等に四方から目立つように設置すると、その機体が通行人等の視界の妨げになり、その景観や印象を反って悪化させてしまう問題があった。
【０００６】
本発明は、このような問題に対応するため、全体的に広告機能を向上させるとともに、その機体の設置が通行人等の視界の妨げとならないようにして、集客、宣伝効果を高めるとともに、休憩用のカウンター台等としても機能する多目的利用可能な自動販売機能を備える広告情報装置を提供することを目的とするものである。
【課題を解決するための手段】
【０００７】
上記課題を解決するため、請求項１に係る発明は、平面状の天面部を有する筐体を備え、前記筐体内に収容された商品等を販売する自動販売機能を備える広告情報装置において、前記天面部に沿ってパネル状の広告宣伝部を備えるものである。
【０００８】
これによれば、前記自動販売機能を備える広告情報装置の天面部に設けられたパネル状の前記広告宣伝部を、通行人等が前記広告情報装置の周囲から容易に視認することができる。
【０００９】
また、請求項２に係る発明は、請求項１に記載の自動販売機能を備える広告情報装置において、前記筐体内部に販売商品を収納する商品収納部を備え、前記天面部に前記販売商品の見本を展示する商品展示部と、前記販売商品を選択して販売するための商品選択手段と、前記販売商品の代金を投入するための金銭投入部とを備えるものである。
【００１０】
これによれば、前記広告宣伝部が設けられた前記天面部に配置される前記商品展示部と前記商品選択手段と前記金銭投入部を、通行人等が前記広告情報装置の周囲から容易に視認することができる。
【００１１】
また、請求項３に係る発明は、請求項２に記載の自動販売機能を備える広告情報装置において、前記商品展示部は、前記天面部と前記筐体の側面部に跨って配設され、前記商品展示部が配置される前記側面部の側に前記商品収納部から搬出される商品を取り出す商品取出口を備えるものである。
【００１２】
これによれば、前記商品展示部が配置される側の前記側面部に前記商品取出口が設けられるから、前記商品取出口を容易に見つけることができる。
また、請求項４に係る発明は、請求項１乃至請求項３のいずれかに記載の自動販売機能を備える広告情報装置において、前記側面部にさらに側部広告宣伝部を配設するものである。
【００１３】
これによれば、通行人等が、前記天面部に備えられた前記広告宣伝装置とともに前記側面部に備えられた前記側部広告宣伝部を、容易に視認することができる。
【発明の効果】
【００１４】
以上説明したように請求項１に係る発明によれば、自動販売機能を備える広告情報装置の天面部に設けられたパネル状の広告宣伝部を、通行人等がその広告情報装置の周囲から容易に視認することができるから、その機体の設置が通行人等の視界の妨げとならず、集客、宣伝効果を高めることができる自動販売機能を備える広告情報装置を提供することができる。また、これによりパネル状の広告宣伝部を設けた天面部をカウンター台として利用可能な自動販売機能を備える広告情報装置を提供することできる。
【００１５】
また、請求項２に係る発明によれば、広告宣伝部が設けられた天面部に配置される商品展示部と商品選択手段と金銭投入部を、通行人等がその周囲から容易に視認することができるから、広告機能を向上させるとともに商品の購買意欲を喚起することができる自動販売機能を備える広告情報装置を提供することができる。
【００１６】
また、請求項３に係る発明によれば、商品展示部が配置される側の側面部に商品取出口が設けられることにより、利用者等がその商品取出口を容易に見つけることができるから、広告機能を向上させるとともに、商品の取出しが容易で操作性の良い自動販売機能を備える広告情報装置を提供することができる。
【００１７】
また、請求項４に係る発明によれば、通行人等が、天面部に備えられた広告宣伝部とともに、側面部に備えられた側部広告宣伝部を容易に視認することができるから、集客、宣伝効果をさらに高めることができる自動販売機能を備える広告情報装置を提供することができる。
【図面の簡単な説明】
【００１８】
【図１】本発明の実施の形態の自動販売機能を備える広告情報装置の外観を示す斜視図である。
【図２】本発明の実施形態の自動販売機能を備える広告情報装置において、本体内部の商品収納部等の構成を模式的に示す図であって、（ａ）は、商品を搬出するバケット部が商品取出口の背面側の待機位置にある状態を示す側面図、（ｂ）は、商品を収容する商品収納コラムから商品が搬出されるとき、バケット部が商品収納コラムの前方下部に移動して商品を受容する状態を示す側面図である。
【発明を実施するための形態】
【００１９】
本発明の実施の形態について図を参照して説明する。図１は、本発明の実施の形態の自動販売機能を備える広告情報装置の外観を示す斜視図、図２は、本発明の実施形態の自動販売機能を備える広告情報装置において、本体内部の商品収納部等の構成を模式的に示す図であって、（ａ）は、商品を搬出するバケット部が商品取出口の背面側の待機位置にある状態を示す側面図、（ｂ）は、商品を収容する商品収納コラムから商品が搬出されるとき、バケット部が商品収納コラムの前方下部に移動して商品を受容する状態を示す側面図である。この広告情報装置１は、人が滞留・歩行する場所等に設置されるもので、図に示すように、本体（筐体）３の外郭が直方体状に形成され、その天面部３ａや側面部３ｂ，３ｃ，３ｄ，３ｅに、広告宣伝装置５，６及び商品展示部９を備えている。
【００２０】
この自動販売機１の本体３の天面部３ａは略水平な平面状に形成され、その表面部には、広告宣伝部を成す広告宣伝パネル５、音声を発して各種操作案内や宣伝を行うスピーカー部８、販売商品の見本を展示する商品展示部９、販売商品を識別する記号や番号を入力して販売する商品を選択するタッチパネル式の商品選択部（商品選択手段）１０、販売商品の代金を投入する硬貨投入口（金銭投入部）１１、釣銭等を返却する返却釦１２、ＩＣカード（電子マネー）等の情報の読み書きを行う非接触型カード処理部１３等が備えられている。
【００２１】
商品展示部９は、天面部３ａと前面部（側面部）３ｂに跨る透明窓部９ａを備え、その内部に展示される商品見本を上方ないし前方から視認可能に構成されている。また、広告宣伝パネル５は、タッチパネル式の液晶モニター等から構成され、広告宣伝パネル５の要所に触れることで、その表示内容を順次変更することが可能なものである。なお、広告宣伝パネル５は、例えば、透明看板枠の裏面に重ね合わせたフィルム状の広告シートを背後から照明する電照看板方式のものであっても良く、広告宣伝機能を有するものであれば、その形態が限定されるものではない。
【００２２】
また、この平面状の天面部３ａは、広告情報装置１の本体３の設置が通行人等の視界の妨げにならないようにするとともに、天面部３ａに設けられた広告宣伝パネル５を通行人等がその周囲から容易に視認可能にすることができるように、設置床上からの高さが設定されている。本実施の形態においては、この平面状の天面部３ａは、例えば設置床上から高さ９５０ｍｍの位置に設定される。このように構成すれば、その本体３の設置が通行人等の視界の妨げにならず、また広告宣伝パネル５をその周囲から視認することができると推測される。また、この広告情報装置１を休憩場所等に設置し、カウンター台等として機能させようとすれば、その使い勝ってを考慮し、その設置床上の高さを１２００ｍｍ程度に設定してもよい。なお、天面部３ａの高さは、その設置場所において利用者等が広告宣伝パネル５をその周囲から視認可能であればよく、その設置床上の高さが１２００ｍｍ以下であれば、大人であれば殆ど広告宣伝パネル５がその周囲から視認可能と推測する。
【００２３】
商品展示部９の透明窓部９ａが配置される前面部３ｂには、その透明窓部９ａの下方に設けられる本体３の図示しない開口部を開閉する前面扉１５が設けられている。この前面扉１５は、その一方側端（例えば図1に記載の前面扉１５の左側端側）に図示しないヒンジ部が設けられ、その他方側端（例えば図１に記載の前面扉１５の右側端）が手前に回動自在に構成されている。そして、前面扉１５の他方側端を手前に引き出し、本体３の開口部を開放することにより、後述の商品収納部１７に商品を収納することができる。また、この前面扉１５には、商品収納部１７から搬出された商品を取り出すための商品取出口１９がその上部に設けられている。
【００２４】
また、前面部３ｂの商品展示部９および前面扉１５の側方（図１では右側）には、図示しない硬貨識別装置や紙幣識別装置、制御部を内蔵する制御ユニット部２０が上下方向に渡って設けられている。この制御ユニット部２０はその前方を覆う前面パネル部２０ａとその上方を覆う天面パネル部２０ｂを備え、図示しない引出機構により、本体３の前方に引き出し可能に構成されている。この前面パネル部２０ａは、本体３の前面部３ｂの一部を構成し、その前面に販売代金としての紙幣を挿入する紙幣挿入口２３、釣銭硬貨等を返却する釣銭返却口２４、制御ユニット部２０を本体３に装着施錠する鍵部２５が設けられている。また、その天面パネル部２０ｂは、本体３の天面部３ａの一部を成すように設けられ、その上面には、前述の硬貨投入口１１、返却釦１２、タッチパネル式の商品選択部１０が配置されている。この制御ユニット部２０は、本体３前方に引き出すことにより、その内部に設けられる硬貨処理装置及び紙幣処理装置に収納される硬貨や紙幣の回収、補充を行うとともに、図示しない制御部の入力装置により各種データの設定等を行うことが可能である。
【００２５】
なお、商品展示部９の前面扉１５側の透明窓部９ａ、前面扉１５、制御ユニット部２０の前面パネル部２０ａは、その前面が面一に構成され、本体３の前面部３ａは、略平面状に形成されている。なお、前面扉１５及び制御ユニット部２０の前面パネル部２０ａに、天面部３ａと同様の広告宣伝パネルを設けても良い。
【００２６】
本体３の左右の側面部３ｃ，３ｄは、平面状に形成され、その全体が電照看板方式の大型広告宣伝パネル（側部広告宣伝部）６によって覆われている。なお、この大型広告宣伝パネル６は、電照看板方式に代えて液晶モニター等を配置しても当然良い。
【００２７】
また、本体の背面部（側面部）３ｅは、その前面部３ｂと対向するように平面状に形成され、本体３内部と通じる図示しない換気口等が備えられている。なお、左右の側面部３ｃ，３ｄと同様に、この背面部３ｅに広告宣伝パネルを備えることも可能である。
【００２８】
本体３内部には、本体３の内壁等により周囲を囲繞された収納庫２７が設けられ、その収納庫２７内には商品を前後一列に並べて収納する商品収納コラム（商品収納部）１７を左右列に並べて構成した商品収納棚２８が、上下に２段に設けられている。商品収納コラム１７は、販売指令に基づいて回転駆動され、商品を前方に送り出すスパイラル部材１８等から構成されている。また、商品収納棚２８の前方には、商品収納コラム１７から払い出された商品を収容して、それを前面部３ｂの前面扉１５に設けられた商品取出口１９に対応する所定位置に搬送するバケット部３０が設けられている。このバケット部３０は、不図示の搬送装置により常時は商品取出口１９の背面側に待機し、手や棒等が商品取出口１９から本体３内部に挿入されないように、その背面側を閉塞している。そして、このバケット部３０は、商品収納コラム１７から商品が搬出されるときは、その商品収納コラム１７の前方下部の所定位置に移動して、搬出される商品を受容した後、再び商品取出口１９の背面側に移動し、販売商品を商品取出口１９から取出し可能に保持するものである。
【００２９】
次に、このように構成される本発明の実施形態に係る自動販売機能を備える広告情報装置１の商品販売動作について説明する。先ず、利用者が硬貨投入口１１、或いは紙幣挿入口２３に貨幣を投入し、タッチパネル式の商品選択部１０を操作して商品を選択する（ＩＣカード式の電子マネーを利用する場合は、商品を選択してからＩＣカードを非接触型カード処理部１３にかざす）と、図示しない制御部により、バケット部３０が選択された商品を収容する商品収納コラム１７の前方の所定位置に移動して一旦停止する。そして、スパイラル部材１８が回転駆動され、商品収納コラム１７に収納されている商品が、その前方に停止するバケット部３０に向けて払い出される。商品収納コラム１７から払い出された商品がバケット部３０に受容されると、バケット部３０が待機位置である商品取出口１９の背面側に向けて移動し、商品取出口１９の背面側を閉塞するように傾動するとともに、販売商品を商品取出口１９から取出し可能に保持する。そして、利用者が商品取出口１９の開閉扉１９ａを開放して、バケット部３０内に受容された商品を商品取出口１９から取り出す。このようにして、自動販売機能を備える広告情報装置１から商品が販売される。
【００３０】
以上のように、本発明の自動販売機能を備える広告情報装置１は、平面状の天面部３ａに沿って広告宣伝パネル５を備えるから、通行人等が、その周囲から広告宣伝パネル５を容易に視認することができる。すなわち、その設置が通行人等の視界の妨げとならず、集客、宣伝効果を高めることができる自動販売機能を備える広告情報装置１を提供することができる。また、広告宣伝部を設けた平面状の天面部をカウンター台として利用可能な自動販売機能を備える広告情報装置を提供することもできる。
【００３１】
また、本発明の自動販売機能を備える広告情報装置１は、広告宣伝パネル５を備える天面部３ａに、商品展示部９と商品選択部１０と硬貨投入口１１とを備えることにより、これらを通行人等がその周囲から容易に視認することができるから、広告機能を向上させるとともに商品の購買意欲を喚起することができる自動販売機能を備える広告情報装置１を提供することができる。
【００３２】
また、本発明の自動販売機能を備える広告情報装置１の商品展示部９は、天面部３ａと前面部３ｂに跨って配設され、商品展示部９が配置される前面部３ｂに商品収納部１７から搬出される商品を取り出す商品取出口１９を備えるから、商品取出口１９が見つけ易く、商品の取出しが容易で操作性の良い自動販売機能を備える広告情報装置１を提供することができる。
【００３３】
また、本発明の自動販売機能を備える広告情報装置１は、天面部３ａに広告宣伝パネル５と備えるとともに、側面部３ｃ，３ｄに大型広告宣伝パネル６を備え、前面部３ｂあるいは背面部３ｅにも広告宣伝パネルを備えることができるから、通行人等が天面部３ａの広告宣伝パネル５と側面部３ｂ，３ｃ，３ｄ，３ｅの広告宣伝パネルを同時に容易に視認することができ、集客、宣伝効果をさらに高めることができる自動販売機能を備える広告情報装置１を提供することができる。
【００３４】
なお、本発明は、言うまでもなく本実施の形態に示す装置にのみ限定されず、その趣旨の包含する範囲で応用変更が可能である。例えば、天面部３ａや側面部３ｂ，３ｃ，３ｄ，３ｅに設けられる広告宣伝装置６は、液晶モニターや電照看板方式の他、ブラウン管やＬＥＤ方式のものであっても当然よい。また、本体３の形状は直方体形状に限定されず、円筒形状や三角柱形状であってもよい。
【符号の説明】
【００３５】
１  自動販売機能を備える広告情報装置
３  本体（筐体）
３ａ  天面部
３ｂ  前面部（側面部）
３ｃ  側面部
３ｄ  側面部
３ｅ  背面部（側面部）
５  広告宣伝パネル（広告宣伝部）
６  大型広告宣伝パネル（側部広告宣伝部）
９  商品展示部
１０  商品選択部（商品選択手段）
１１  硬貨投入口（金銭投入部）
１７  商品収納コラム（商品収納部）
１９  商品取出口
２７  収納庫
３０  バケット部
【図１】
2012032851.tif 000003
【図２】
2012032851.tif 000004